(57)【特許請求の範囲】
【請求項１】
室の下方に設けられた給気チャンバに供給した空気を、室の床に設けられた複数の吹き出し口から室内に供給する床吹き出し空調方法であって、
各吹き出し口から吹き出される風量のバラツキが所定の範囲内となるように、各吹き出し口について開度の上限値を等しく設定し、
その上限値の範囲内において、各吹き出し口における開度が調整されることを特徴とする、床吹き出し空調方法。
【請求項２】
前記開度の上限値は、最大負荷時に各吹き出し口から吹き出される風量のバラツキが所定の範囲内となる範囲で最大に設定されることを特徴とする、請求項１に記載の床吹き出し空調方法。
【請求項３】
前記開度の上限値を設定するにあたり、各吹き出し口の開度を１００％から順次小さくして行きつつ、最大負荷時に各吹き出し口から吹き出される風量のバラツキを各開度について求め、
前記バラツキが初めて所定の範囲内となったときの開度を、前記開度の上限値とすることを特徴とする、請求項１または２に記載の床吹き出し空調方法。
【請求項４】
前記複数の吹き出し口に開度調節ダンパがそれぞれ取り付けられており、前記開度の上限値が各開度調節ダンパによって設定されることを特徴とする、請求項１〜３のいずれかに記載の床吹き出し空調方法。
【請求項５】
室内の温度に基づいて各吹き出し口の開度が前記開度の上限値の範囲で調節されることを特徴とする、請求項１〜４のいずれかに記載の床吹き出し空調方法。
【請求項６】
室内を複数の空間に仕切り、空調対象である空間にある吹き出し口については、開度の上限値が等しく設定され、空調対象でない空間にある吹き出し口については、開度が０％に設定されることを特徴とする、請求項１〜５のいずれかに記載の床吹き出し空調方法。
【請求項７】
空調対象でない空間にある吹き出し口について開度が０％に設定された上で、空調対象である空間にある吹き出し口について、前記開度の上限値が再度設定されることを特徴とする、請求項６に記載の床吹き出し空調方法。
【請求項８】
室の下方に設けられた給気チャンバに供給した空気を、室の床に設けられた複数の吹き出し口から室内に供給する床吹き出しシステムであって、
室内の温度に基いて給気チャンバに供給される空気の送風量と各吹き出し口の開度を調整する制御部を備え、
前記制御部は、各吹き出し口から吹き出される風量のバラツキが所定の範囲内となるように、各吹き出し口について等しく設定された開度の上限値の範囲内において、各吹き出し口の開度を調整することを特徴とする、床吹き出し空調システム。
【発明の詳細な説明】
【技術分野】
【０００１】
本発明は、室の下方に設けられた給気チャンバに供給した空気を、室の床に設けられた複数の吹き出し口から室内に供給する床吹出し空調方法と空調システムに関する。
【背景技術】
【０００２】
配線スペースなどに用いられる室の床下空間（二重床）を給気チャンバとして利用し、室の床に設けられた複数の吹き出し口から室内に供給する床吹出し空調が知られている。かかる床吹出し空調は、室内で発生した粉塵等を上昇流で排気でき、また、例えば各吹き出し口からの送風量を個別に調整することで、温感の個人差に対応した操作ができる、などといった利点を有している。
【０００３】
一方で、この床吹出し空調では、給気チャンバ内での空気搬送に伴う圧力損失抵抗により、給気チャンバ内において圧力のばらつきが生じる。そして、この圧力のばらつきに伴って、各吹き出し口から室内に向かって吹き出される給気風量がばらついてしまうといった難点がある。
【０００４】
そこで従来、各吹き出し口に風速センサを装着して、室内温度が設定温度になるように、各吹き出し口の吹出し風量を調整する技術が特許文献１に開示されている。
【０００５】
また、個別の風速センサなどを用いずに、容易に各吹出し口からの吹出し風量を均一化する方法として、各吹出し口にフィルタを装着する技術が特許文献２に開示されている。この方法は、給気チャンバの高さや長さ、吹出し口の設置間隔などの情報をもとに選択されたフィルタを各吹き出し口に取り付け、フィルタの圧力損失によって各吹出し口に抵抗を与えることで、各吹出し口からの吹出し風量の均一化を図る方法である。各吹出し口に同一のフィルタを装着するだけですみ、吹出し口毎に個別に調整する必要がなく、容易に吹出し風量の均一化を図ることができる。
【０００６】
【特許文献１】特許第２９８４７３２号公報
【特許文献２】特許第３３６５５２６号公報
【発明の開示】
【発明が解決しようとする課題】
【０００７】
上記特許文献１の方法によれば、風速センサの出力値を用いてダンパ開度を変更し、自動的に風量調整が行われる。しかしながら、一般的な床吹出し空調では、約４〜５ｍ2の床面積に１個の割合で床吹出し口が設置されるため、1つの室内には多数の床吹出し口が存在する。上記特許文献１の方法では、多数の床吹出し口の全部に高価な風速センサを設ける必要があり、安価にシステムを構成することが困難である。また、風速センサが経年劣化や汚れにより、正確な出力が行えないリスクがあり、頻繁に点検や校正・交換が必要となり、人的な労力とコストを要してしまう。
【０００８】
また、吹出し風量の均一化を図るために、各々の吹出し口に自動風量調整用のダンパとは別に手動の風量調整用のダンパを設け、その手動ダンパの開度を個別に調整する方法も考えられる。しかし、多数存在する床吹出し口を個別にダンパ開度の調整を行い、均一化を図るのは、人的な労力と時間を要し、非常に困難である。また、床吹出し口に手動ダンパを取り付ける必要があり、コストがかかるとともに、床吹出し口の厚みの増加が避けられず、低床二重床への対応が難しくなる。
【０００９】
一方、上記特許文献２の方法では、圧力調整のためのフィルタが多数必要であり、高価になる。また、室の使用状況や用途の変更などにより、吹出し風量や吹出し口個数を変える必要性が生じた場合には、再度フィルタの見直しを行い、全部の吹出し口についているフィルタを外して交換する必要があり、人的な労力と新たなフィルタの費用が必要となる。
【００１０】
本発明の目的は、床吹き出し空調において、設備費を安価にし、かつ、空調空間のレイアウト変更にも容易に追従できるように、更に各吹き出し口から吹き出される風量を容易に均一化することにある。即ち、空調空気の給気側では冷房時の冷えすぎなどを回避し、給気側から遠い位置まで十分な給気を行うことができるシステムを提供することである。
【課題を解決するための手段】
【００１１】
この課題を解決するために、本発明によれば、室の下方に設けられた給気チャンバに供給した空気を、室の床に設けられた複数の吹き出し口から室内に供給する床吹き出し空調方法であって、各吹き出し口から吹き出される風量のバラツキが所定の範囲内となるように、各吹き出し口について開度の上限値を等しく設定し、その上限値の範囲内において、各吹き出し口における開度が調整されることを特徴とする、床吹き出し空調方法が提供される。本発明にあっては、各吹き出し口の開度を所望の上限値の範囲内において調整することにより、各吹出し口に圧力損失（抵抗）を与え、各吹出し口からの吹出し風量の均一化を図る。なお、本発明でいう「吹き出し口の開度」とは、吹き出し口の全開口部分に対して、閉鎖されていない部分の割合である。
【００１２】
前記開度の上限値は、最大負荷時に各吹き出し口から吹き出される風量のバラツキが所定の範囲内となる範囲で最大に設定されても良い。また、前記開度の上限値を設定するにあたり、各吹き出し口の開度を１００％から順次小さくして行きつつ、最大負荷時に各吹き出し口から吹き出される風量のバラツキを各開度について求め、前記バラツキが初めて所定の範囲内となったときの開度を、前記開度の上限値としても良い。
【００１３】
また、前記複数の吹き出し口に開度調節ダンパがそれぞれ取り付けられており、前記開度の上限値が各開度調節ダンパによって各吹き出し口について設定されても良い。この場合、「吹き出し口の開度」とは、吹き出し口の全開口部分に対して、開度調節ダンパによって閉鎖されていない部分の割合である。
【００１４】
また、室内の温度に基づいて各吹き出し口の開度が前記開度の上限値の範囲で調節されても良い。更に、室内を複数の空間に仕切り、空調対象である空間にある吹き出し口については、開度の上限値が等しく設定され、空調対象でない空間にある吹き出し口については、開度が０％に設定されても良い。この場合、空調対象でない空間にある吹き出し口について開度が０％に設定された上で、空調対象である空間にある吹き出し口について、前記開度の上限値が再度設定されても良い。すなわち、複数空間で各々請求項１または請求項１から５のいずれかの制御をし、１部の空間(単位空調ゾーン)が不使用となったときに、その後、該空間を非空調空間として制御対象から除いて残りのゾーンの吹出口群について改めて開度の上限値(ダンパを開度調整手段とする場合にはダンパ開度)を設定しなおしたうえ、開度０%を越える吹出口を対象に前記の制御を始める。
【００１５】
また、本発明によれば、室の下方に設けられた給気チャンバに供給した空気を、室の床に設けられた複数の吹き出し口から室内に供給する床吹き出しシステムであって、室内の温度に基いて給気チャンバに供給される空気の送風量と各吹き出し口の開度を調整する制御部を備え、前記制御部は、各吹き出し口から吹き出される風量のバラツキが所定の範囲内となるように、各吹き出し口について等しく設定された開度の上限値の範囲内において、各吹き出し口の開度を調整することを特徴とする、床吹き出し空調システムが提供される。
【発明の効果】
【００１６】
本発明によれば、床吹き出し空調において、フィルタ等を追加することなく、吹き出し口の開度の上限値を設定して通風抵抗を付加するだけで、各吹き出し口から吹き出される風量を容易に均一化できるようになる。本発明によれば、既に室の床に設置されている吹き出し口について最適な最大開度を設定するだけで風量の均一化を図ることができ、また、送風動力の過度の消費も防止できる。また、吹出し風量や吹出し口の個数などの変更があった場合でも、最大開度の設定値を変更するだけで対応できるので、容易な対応が可能となる。更に、同じ口径、同じ仕様の吹き出しを採用でき、施工時の管理や竣工後の保守が容易である。
【発明を実施するための最良の形態】
【００１７】
以下、本発明の実施の形態を、図面を参照にして説明する。図１は、本発明の実施の形態にかかる床吹き出し空調システム１の説明図である。なお、本明細書及び図面において、実質的に同一の機能構成を有する構成要素については、同一の符号を付することにより重複説明を省略する。
【００１８】
「床吹き出し空調システム１の全体説明」
室１０の内部は、下方（床１１から１．８ｍ程度の高さまで）が居住空間であり、居住空間よりも上方は、空調制御対象外の非居住空間になっている。図示はしないが、室１０内の居住空間には作業員やＯＡ機器などが存在する。
【００１９】
室１０の床１１の下方には給気チャンバ（二重床）１２が形成されている。床１１には、複数の吹き出し口１３が設けられている。また、室１０の上部（前記非居住空間の上部）には天井１５があり、該天井１５に吸い込み口１６が設けられており、天井１５の上方には還気チャンバ１７が形成されている。
【００２０】
室１０の側方には、空調機２０が設置されている。空調機２０には、フィルタ２１、熱交換器２２、ファン２３が内蔵されている。空調機２０には、還気ダクト２５と外気取入ダクト２６が接続されている。そして、空調機２０内のファン２３の稼動により、還気ダクト２５から取込んだ還気ＲＡと外気取入ダクト２６から取込んだ外気ＯＡを混ぜて、フィルタ２１による塵埃のろ過、熱交換器２２による温度調節を行い、作り出した給気ＳＡを給気チャンバ１２に送り、室１０の床に設けられた複数の吹き出し口１３から室内に給気する床吹き出し空調方法が行われる。
【００２１】
還気チャンバ１７には、還気ダクト２５の他に、排気ダクト３０が接続されている。排気ダクト３０には排気ファン３１が取り付けてあり、室１０内から天井１５に設けられた吸い込み口１６を通って還気チャンバ１７に流れ込んだ還気ＲＡの一部が、排気ファン３１の稼動により、排気ＥＡとして外部に排出される。
【００２２】
図２は、吹出し口１３の斜視図（ａ）と分解図（ｂ）である。この吹出し口１３は、吹出し口１３の開度を制御する手段として次に説明する開度調節ダンパ３７を採用している。上下が開口した円筒形状をなすケーシング３５の内部に、旋回ガイドベーン３６と開度調節ダンパ３７を上下に配置し、ケーシング３５の上面に取りつけたカバー３８の上から旋回ガイドベーン３６および開度調節ダンパ３７の中心に貫通させたシャフト３９の下端に押え部材４０を取りつけて締めつけた構成になっている。
【００２３】
開度調節ダンパ３７は、ケーシング３５の底部に取り付けられた複数枚の羽状のシャッタ（以下「シャッタ羽」）４１を備えている。モータ４２の稼動でシャフト３９を中心に各シャッタ羽４１を水平方向に回動させ、各シャッタ羽４１の位置を互いに変更できるようになっている。例えば、図３に示すように、各シャッタ羽４１を同じ位置に揃えて重ねた場合は、開度調節ダンパ３７によって遮られる面積が最も小さくなり、開度調節ダンパ３７は開度１００％に開かれた状態となる。なお、例えば８枚のシャッタ羽４１によって開度調節ダンパ３７の開度が調節される場合、開度調節ダンパ３７の開度が１００％となった時には、吹出し口１３の開口面積に対する開度は８７．５％（８枚のシャッタ羽４１の一枚分が閉塞されている状態）となる。一方、図４に示すように、各シャッタ羽４１を最大に広げた場合は、シャッタ羽４１によって遮られる面積が最も大きくなり、開度調節ダンパ３７は開度０％に閉じられた状態となる。また、開度調節ダンパ３７は、これら開度１００〜０％の間において、図５に示すように、任意の開度に調整することができる。
【００２４】
また、開度調節ダンパ３７の上方に配置される旋回ガイドベーン３６は、中央の支持部材４５の周りに、複数枚の板状のフィン４６を、適当な等間隔で放射状に取り付けた構成になっている。吹出し口１３から室１０内に向かって吹き出す給気ＳＡに旋回成分を与えるべく、これら各フィン４６は、吹出し口１３の中心軸（シャフト３９）に対してそれぞれ傾斜して配置されている。そして、給気チャンバ１２から各吹出し口１３を通して室１０内に給気ＳＡを供給する際に、各フィン４６に沿わせて強制的に空気を流すことにより、吹出し口１３から室１０内に向かって吹き出す給気ＳＡに、シャフト３９を中心軸とする旋回成分が与えられるようになっている。
【００２５】
開度調節ダンパ３７の開度調整は、図１に示す制御部５０からの指令により、モータ４２の稼動によって行われる。ここで、開度調節ダンパ３７の開度調整は、以下に説明する「開度の上限値の設定」と、「温度差に基く開度調整」に従って行われる。
【００２６】
「開度の上限値の設定」
以上のような床吹き出し空調システム１では、給気チャンバ１２内での空気搬送に伴う圧力損失抵抗により、給気チャンバ１２内において圧力のばらつきが生じる。そして、この圧力のばらつきに伴って、各吹き出し口１３から室１０内に向かって吹き出される給気風量がばらついてしまう。そこで先ず、各吹き出し口１３に装着されている開度調節ダンパ３７の開度について上限値Ｘを等しく設定し、各吹出し口１３に圧力損失（抵抗）を与えることにより、各吹出し口１３からの吹出し風量の均一化を図る。
【００２７】
即ち、以上のような床吹き出し空調システム１では、給気チャンバ１２を介して室１０内に給気ＳＡを供給するためのファン２３の最大負荷が、例えば室１０内の容積、室１０内における居住者の人数、その他の条件等により、予め定められている。そこで、ファン２３の送風量が最大負荷Ｑｍａｘとなった状態において、各吹き出し口１３から吹き出される風量Ｑ１〜Ｑｎのバラツキが所定の範囲内となるように、各吹き出し口１３に装着されている開度調節ダンパ３７の開度の上限値を等しく設定する。なお、ファン２３の送風量が最大負荷Ｑｍａｘとなった状態とは、例えば真夏の時期に室１０内の居住者人数が定員に達し、室１０内の発熱機器（パソコン等）の熱負荷も最大で冷房負荷が許容値に達しているような状態を指す。
【００２８】
ここで、図６に示すように、図１の室１０の床１１において、ｎ個の同様の吹き出し口１３が直列に設けられている場合を考える。なお、説明を簡単にするため、紙面の奥行き方向に渡って各１個の吹き出し口１３が設置されている場合で説明し、同一ゾーンに複数の吹き出し口１３が設置されている場合についての計算処理については後述する。空調機２０から１番離れている吹き出し口１３では、風量Ｑ１で給気ＳＡが室１０に供給されていると仮定する。この場合、空調機２０から１番離れている吹き出し口１３について、給気ＳＡが風量Ｑ１で通過する際の圧損をＰ１とおけば、次式（１）が成り立つ。
Ｑ１＝（Ｐ１／Ｋ）１／２  ・・・（１）
【００２９】
Ｋは、給気ＳＡが吹き出し口１３を通過する際の給気ＳＡの流れにくさを示す指標値であり、開度調節ダンパ３７の開度が大きくなれば、指標値Ｋは小さくなり、また逆に、開度調節ダンパ３７の開度が小さくなれば、指標値Ｋは大きくなる。なお、これら指標値Ｋと、風量Ｑ１、圧損Ｐ１の関数関係は、予め理論的に定めておくか、あるいは、予め実験等で定めておく。なお、指標値Ｋについては、先ず、開度調節ダンパ３７の開度が１００％の状態からスタートする（図７の工程Ｓ１）。
【００３０】
そして、空調機２０から２番目に離れている吹き出し口１３では、風量Ｑ２で給気ＳＡが室１０に供給されていると仮定する。この場合、空調機２０から２番目に離れている吹き出し口１３を、給気ＳＡが風量Ｑ２で通過する際の圧損をＰ２とおけば、次式（２）が成り立つ。
Ｑ２＝（Ｐ２／Ｋ）１／２  ・・・（２）
【００３１】
一方、空調機２０から２番目に離れている吹き出し口１３と、空調機２０から１番離れている吹き出し口１３の間では、給気チャンバ１２内において、次式（３）で示される差圧ΔＰ１が生ずる。
ΔＰ１＝ζ・ρ・Ｖ１２／２  ・・・（３）
【００３２】
ζは、空調機２０から２番目に離れている吹き出し口１３と、空調機２０から１番離れている吹き出し口１３の間における、給気チャンバ１２内を流れる給気ＳＡの流れにくさを示す指標値である。この指標値ζは、給気チャンバ１２内の管摩擦係数、空調機２０から２番目に離れている吹き出し口１３と、空調機２０から１番離れている吹き出し口１３の間の距離等の関数となる。ρは、空気（給気ＳＡ）の密度、Ｖ１は、空調機２０から２番目に離れている吹き出し口１３と、空調機２０から１番離れている吹き出し口１３の間における給気チャンバ１２内の空気（給気ＳＡ）の流速であり、風量Ｑ１を給気チャンバ１２内の断面積Ｓで割れば）Ｖ１＝Ｑ１／Ｓ）求めることができる。なお、これら差圧ΔＰ１、指標値ζ、密度ρ、流速Ｖ１の関数関係は、予め理論的に定めておくか、あるいは、予め実験等で定めておく。
【００３３】
ここで、差圧ΔＰ１と、圧損Ｐ１、Ｐ２の間には次式（４）が成り立つ。
Ｐ２＝Ｐ１＋ΔＰ１＋（ρＶ０２／２−ρＶ１２／２）  ・・・（４）
なお、Ｖ０＝０である。
【００３４】
したがって、空調機２０から２番目に離れている吹き出し口１３における給気ＳＡの風量Ｑ２は、これら式（１）〜式（４）の関係から、空調機２０から１番離れている吹き出し口１３における圧損Ｐ１の関数として表すことができる。以下同様にして、空調機２０から３番目に離れている吹き出し口１３における給気ＳＡの風量Ｑ３、空調機２０から３番目に離れている吹き出し口１３における給気ＳＡの風量Ｑ４、・・・空調機２０からｎ番目に離れている吹き出し口１３における給気ＳＡの風量Ｑｎを、空調機２０から１番離れている吹き出し口１３における圧損Ｐ１の関数として表すことができる。その結果、給気チャンバ１２から各吹き出し口１３を介して室１０内に供給される給気ＳＡの総風量がこれら風量Ｑ１〜Ｑｎの総和ΣＱとして、次式（５）に示すように、空調機２０から１番離れている吹き出し口１３における圧損Ｐ１の関数として表すことができる。
ΣＱ＝ｆ（Ｐ１）  ・・・（５）
【００３５】
一方、給気チャンバ１２から室１０内に供給される給気ＳＡの総風量ΣＱは、ファン２３の送風量が最大負荷Ｑｍａｘと等しいはずであるから、次式（６）が成り立つ。
Ｑｍａｘ＝ｆ（Ｐ１）  ・・・（６）
【００３６】
この式（６）を満足する圧損Ｐ１を定めることにより、各吹き出し口１３における風量Ｑ１〜Ｑｎが求まる（図７の工程Ｓ２）。
【００３７】
以上のようにして、先ず、開度調節ダンパ３７の開度が１００％の状態で、風量Ｑ１〜Ｑｎを求めたら、各吹き出し口１３から吹き出される風量Ｑ１〜Ｑｎのバラツキが所定の範囲内となっているかどうかを調べる（図７の工程Ｓ３）。即ち、風量Ｑ１〜Ｑｎの平均値（ΣＱ／ｎ）と各吹き出し口１３の風量Ｑ１〜Ｑｎを比較し、バラツキが所定の範囲内となっているかどうかを判定する。この場合、図６に示すように、ｎ個の同様の吹き出し口１３が直列に設けられている場合では、空調機２０から離れている吹き出し口１３ほど風量が少なく、空調機２０の１番近い吹き出し口１３における風量Ｑｎが最も多くなる（但し、動圧を考慮すると、空調機２０から１番離れている吹き出し口１３における風量Ｑ１よりも、２番目に離れている吹き出し口１３における給気ＳＡの風量Ｑ２（あるいは、３番目に離れている吹き出し口１３における給気ＳＡの風量Ｑ３）が、最も少なくなる場合もある）。したがって、風量Ｑ１（あるいは風量Ｑ２、Ｑ３）と風量Ｑｎのいずれもが平均値（ΣＱ／ｎ）と比較して所定の範囲内（例えば±１０％の範囲内）であれば、各吹き出し口１３の風量Ｑ１〜Ｑｎのバラツキが所定の範囲内にあり、逆に、風量Ｑ１と風量Ｑｎのいずれか一方が平均値（ΣＱ／ｎ）と比較して所定の範囲内となっていなければ、各吹き出し口１３の風量Ｑ１〜Ｑｎのバラツキが所定の範囲内にないと判定することができる。
【００３８】
そして、各吹き出し口１３の風量Ｑ１〜Ｑｎのバラツキが所定の範囲内にないと判定された場合は、室１０の床１１に設けられている全部の吹き出し口１３の開度を１００％から段階的に順次小さくして行く（図７の工程Ｓ４）。この場合、例えば、吹き出し口１３の開度を、１００％から１％ずつ段階的に順次小さくして行く。なお、このように吹き出し口１３の開度を小さくするに従い、吹き出し口１３を通過する際の給気ＳＡの流れにくさを示す指標値Ｋは次第に大きくなり、吹き出し口１３を通過する際の給気ＳＡの圧損は次第に大きくなっていく。
【００３９】
そして、吹き出し口１３の開度を段階的に小さくし、再び、各吹き出し口１３における風量Ｑ１〜Ｑｎを求める（図７の工程Ｓ２）。そして、各吹き出し口１３から吹き出される風量Ｑ１〜Ｑｎのバラツキが所定の範囲内となっているかどうかを調べる（図７の工程Ｓ４）。
【００４０】
以上の工程Ｓ４、Ｓ２、Ｓ３を繰り返し行い、各吹き出し口１３の風量Ｑ１〜Ｑｎを比較し、バラツキが初めて所定の範囲内となったときの開度を、吹き出し口１３の開度の上限値Ｘに決定する（図７の工程Ｓ５）。
【００４１】
「温度差に基く開度調整」
次に、室１０内の温度Ｔと、目標温度Ｔ’との温度差ΔＴに基いて行われる、各吹き出し口１３の開度調整を説明する。図１に示すように、室１０内に配置された温度センサ５１によって室１０内の温度Ｔが測定され、制御部５０に入力されている。制御部５０は、予め設定されている室１０内の目標温度Ｔ’と温度センサ５１から入力された室１０内の温度Ｔを比較し、温度差ΔＴ＝Ｔ−Ｔ’を求める。
【００４２】
そして、制御部５０は、実際の室１０内の温度Ｔと目標温度との温度差ΔＴに基いて、各吹き出し口１３の開度を調整する。この場合、各吹き出し口１３の開度の調整は、先に説明した開度の上限値Ｘの範囲内において、温度差ΔＴに比例して行われる。例えば室１０内の空調運転開始時などのように温度差ΔＴが十分に大きい場合（冷房時に室内温度が過大、暖房時に室内温度が過小の場合）には各吹き出し口１３の開度信号が１００％となり、逆に、冷房時に室内温度が目標温度を大きく下回り、暖房時に室内温度が目標温度を大きく上回る場合には各吹き出し口１３の開度信号が０％となるように、温度差ΔＴに比例して各吹き出し口１３の開度が調整される。なお、温度差ΔＴが０の場合は、その直前の開度が維持されるように調整される。
【００４３】
そして、制御部５０から発せられた開度信号に比例して、上限値Ｘの範囲内において、各吹き出し口１３の開度が調整される。例えば図８に示したように、各吹き出し口１３の開度の上限値Ｘが１００％の場合であれば、各吹き出し口１３の開度が０〜１００％の範囲内で開度信号に比例して調整され、各吹き出し口１３の開度の上限値Ｘが７０％の場合であれば、各吹き出し口１３の開度が０〜７０％の範囲内で前記１００％開度に対応する開度信号に比例して（７０／１００を乗じて）調整され、各吹き出し口１３の開度の上限値Ｘが３０％の場合であれば、各吹き出し口１３の開度が０〜３０％の範囲内で開度信号に比例して（３０／１００を乗じて）調整される。
Z＝V×X÷100
X：上限値[%]、(但し0＜X≦100)
V：演算部分からの開度信号[%]、(但し0≦V≦100)
Z：実際のダンパ開度[%]
【００４４】
なお、以上のような各吹出し口１３の開度調整は、いずれも制御部５０内において行われる。図９に示すように、制御部５０内には、室１０内の設定温度（目標温度Ｔ’）と室１０内の温度Ｔとの温度差ΔＴに基いて開度調節ダンパ３７の開度を定める演算部分５０ａと、この演算部分５０ａで求めた開度調節ダンパ３７の開度を、最大開度設定値（各吹き出し口１３の開度の上限値Ｘ）に基いて開度調節ダンパ３７の実際の開度を演算しなおす信号変換部分５０ｂと、各吹出し口１３における開度調節ダンパ３７の開度（モータ４２の駆動信号）を制御する制御部分５０ｃがある。そして、制御部分５０ｃから各開度調節ダンパ３７のモータ４２に開度指令が出されて、シャッタ羽４１の回転により開度調節ダンパ３７の開度が０％〜上限値Ｘの範囲内で調整される。なお、図示はしないが、吹き出し口１３の開度の上限値Xを演算する演算部分および／または上限値Xを記憶する記憶部分を制御部５０内に更に設けても良い。
【００４５】
なお、制御部分５０ｃから各開度調節ダンパ３７に出される開度指令は、図１０に示すように、各開度調節ダンパ３７に対してそれぞれ並列的に伝達されても良い。また、図１１に示すように、各開度調節ダンパ３７に対応させて制御部分５０ｃを設け、それぞれの制御部分５０ｃから各開度調節ダンパ３７に開度指令が出るようにしても良い。また、図１２に示すように、各開度調節ダンパ３７に対応して設けられた制御部分５０ｃ間で開度指令が伝達されても良い。更に、これら図９〜１２に示される伝達の手法を適宜組み合わせても良い。これらの方法により、1箇所だけ最大開度設定を行うことで、多数の吹出し口１３の最大開度設定を同時に行うことが可能となり、設定変更に多大な人的労力を必要としない。
【００４６】
以上のように、各吹き出し口１３に装着されている開度調節ダンパ３７の開度に上限値Ｘを設定し、各吹出し口１３に圧力損失（抵抗）を与えることにより、各吹き出し口１３から吹き出される風量Ｑ１〜Ｑｎのバラツキを所定の範囲内に収めることができるようになる。各吹き出し口１３から吹き出される風量Ｑ１〜Ｑｎにおいて不均一が生じるのは、給気チャンバ１２内において圧力差が生じることによるが、給気チャンバ１２内に仮に圧力差が生じていても、開度調節ダンパ３７の開度を小さくして指標値Ｋの値を大きくすれば、各吹き出し口１３から吹き出される風量Ｑ１〜Ｑｎの差は小さくでき、不均一を縮小できる。
【００４７】
例えば、図６に示す例において、空調機２０から１番離れている吹き出し口１３までの距離が２０ｍである設備において、各吹き出し口１３に装着されている開度調節ダンパ３７の開度の上限値Ｘとして５０％を設定した場合と、設定しなかった場合（Ｘ＝１００％の場合）を比較すると、空調機２０からの距離に対する給気チャンバ１２内の圧力分布は図１３のようになり、空調機２０からの距離に対する各吹き出し口１３からの吹出し風量の分布は図１４のようになる。なお、各吹き出し口１３からの風量が平均で、１００ｍ３／ｈとなるように設定した。
【００４８】
開度調節ダンパ３７の開度の上限値Ｘを設定しなかった場合(100％)は、空調機２０側の吹き出し口１３での吹出し風量は平均値+15％、末端側の吹き出し口１３での吹出し風量は平均値-4％であったものに対し、上限値Ｘを５０％に設定することで、各吹き出し口１３からの風量を平均値-2〜+9％の範囲内にすることができ、均一化を図ることができた。
【００４９】
「変形例、応用例」
床吹き出し空調システム１では、給気チャンバ１２内の圧力が過度に上昇すると、給気チャンバ１２を構成している床材同士の隙間から漏気を生じたり、カーペットや床材が持ち上がったりするため、かかる事態を防止する必要がある。そこで、給気チャンバ１２内の圧力が過度に上昇しないようにするために、開度調節ダンパ３７の開度の上限値Ｘに見合っただけの必要風量が給気チャンバ１２内に供給されるよう空調機２０内のファン２３の稼動を制御することが望ましい。このファン２３の稼動は、インバータなどで回転数を制御することで行うことができる。
【００５０】
ここで、ファン２３の風量制御には、２通りの方法が考えられる。一つ目の方法は、制御部５０の演算部分５０ａから出力される上限値Ｘに基いて、各吹き出し口１３から吹き出される風量と各吹き出し口１３の個数から求められる必要風量（ΣＱ）になるように、インバータなどを利用してファン２３の回転数を制御する。
QSUM＝Q×V×n
QSUM：空調機２０のファン２３の必要風量[m3/s]
Q：ダンパ開度100％時の吹出し口1個あたりの風量[m3/s]
V：演算部からのダンパ開度信号[%]、(但し0≦V≦100とする)
ｎ：吹出し口１３の個数[個]
【００５１】
二つ目の方法は、空調機２０から離れた箇所において、給気チャンバ１２内と室１０内との差圧が一定に保たれるようにファン２３の回転数を制御する方法である。例えば図１に示したように、給気チャンバ１２の末端において、差圧計５５によって給気チャンバ１２内と室１０内との差圧を測定し、この差圧計５５で測定される差圧が一定に保たれるようにファン２３の回転数を制御する。給気チャンバ１２内と室１０内との差圧が一定に保たれることで、開度調節ダンパ３７の開度に見合った風量が床吹出し口１３から吹き出され、給気チャンバ１２内も過度の圧力上昇が生じない。
【００５２】
なお、室１０内の代わりに、例えば、近くにある空調用パイプシャフトや電気配線用シャフトなど、普段人の出入が無く、圧力の変動のない箇所と給気チャンバ１２内との差圧を測定して一定に保つようにしても良い。
【００５３】
図９〜１２では、制御部５０を演算部分５０ａと、信号変換部分５０ｂと、制御部分５０ｃを分けて示したが、これら演算部分５０ａ、信号変換部分５０ｂおよび制御部分５０ｃの機能を1つあるいは２つの部分に集約しても構わない。
【００５４】
また、図８では、制御部５０から発せられた開度信号に比例して、上限値Ｘの範囲内において、各吹き出し口１３の開度を調整する例を示したが、図１５に示すように、上限値Ｘに達するまでは開度信号に従って各吹き出し口１３の開度を制御し、上限値Ｘに達した場合は各吹き出し口１３の開度を上限値Ｘに固定するように制御しても良い。
V＜Xの場合  Z＝V
V≧Xの場合  Z＝X
X：上限値[%]、(但し0＜X≦100)
V：演算部分からの開度信号[%]、(但し0≦V≦100)
Z：実際のダンパ開度[%]
【００５５】
また、以上では開度調節ダンパ３７の開度を任意に無段階に調整可能な例を示したが、段数制御によって開度制御を行っても構わない。なお、全段数（例えば、シャッタ羽４１の枚数）を８とした場合を前提として制限をかけないときの動作を図１６、８段の開度調節ダンパ３７の段数を５として操作する場合を図１７、同様に８段の開度調節ダンパ３７の段数を３として操作する場合を図１８に示した。即ち、図１７、１８は、８枚のシャッタ羽４１を有する開度調節ダンパ３７において、１段の範囲を１枚のシャッタ羽４１の面積よりも広げ、開度信号（Ｚに相当する）に対応して所定の段数に段階的に制御する例である。
Z=[V×(X+1)÷100]
但し、Z>Xの場合には、Z=Xとする。
式中の[]はガウス記号とする。
開度の可動段数：0〜n
X：段数で示される上限値（0＜X≦n)
V：演算部分からの開度信号[%]、(但し0≦V≦100)
Z：段数で示される実際のダンパ開度
【００５６】
また、クイックオープニング特性やイコールパーセント特性など、開度調節ダンパ３７の開度と吹出し風量の関係が、比例の関係(リニア特性)でない場合、図１９に示すように、開度信号に見合った風量となるように開度が制御される。かかる場合、開度信号と吹出し風量がほぼリニアな関係になるように、開度調節ダンパ３７の開度を制御・調整する演算部分を有するものについて、開度の上限値Ｘを同様に設定しても良い。
【００５７】
また、室１０内の換気のために外気の最低給気風量を確保するために、各吹き出し口１３がある特定の開度以下にならないように、最低開度を設けた機構において、開度の上限値Ｘを設定しても良い。
【００５８】
例１を図２０に示す。なお、ここでは最低開度Ｙ（実際の開度）を１０％としている。
Z＝V×(X-Y)÷100+Y
ダンパ開度の可動範囲：0〜100[%]
X：上限値[%]、(但し0＜X≦100)
Y：最低開度設定[%]、(但し0＜Y≦X)
V：演算部分からの開度信号[%]、(但し0≦V≦100)
Z：実際のダンパ開度[%]
【００５９】
例２を図２１に示す。なお、ここでは最低開度Ｙ（実際の開度）を１０％としている。
Z＝V×X÷100
但し、Z＜Yの場合には、Z=Yとする。
【００６０】
また、以上に説明した図８、１５〜２１の制御を組み合わせることもできる。
【００６１】
なお、図６では、室１０の床１１において、ｎ個の吹き出し口１３が直列に設けられている場合を想定した。しかしながら、実際の床吹き出し空調システム１では、図２２に示すように、吹き出し口１３が室１０の床１１全体に２次元に広がって配置されている。そこで、実際の床吹き出し空調システム１において開度調節ダンパ３７の開度の上限値Ｘを定める場合、図２３に示すように、給気チャンバ１２を、通風方向に対して任意の複数のセルｉ−１、ｉ、ｉ＋１に細かく分割し、各セルの吹き出し口１３から吹き出される風量のバラツキが所定の範囲内となるように、開度調節ダンパ３７の開度の上限値を等しく設定すれば良い。
【００６２】
「室１０内が複数の空間に分割される場合」
例えば、ホテルなどの建物では、宴会の規模により、図２４に示すように、一つの大きな室１０を壁６０によって複数の空間１０ａ、１０ｂ、１０ｃに区切って使用する場合がある。そして、これら複数の空間１０ａ、１０ｂ、１０ｃの一部のみ（例えば、空間１０ａ、１０ｃ）だけを使用し、残り（例えば、空間１０ｂ）は使用しない場合がある。このように室１０内に複数の制御エリアがあり、一部の制御エリアが未使用などにより運用上空調を行わない場合、空間１０ｂについては吹き出し口１３の開度が０％に設定され、空間１０ｂへの給気が行われなくなる。その結果、空間１０ｂへの給気をしない分だけ、空調機２０からの必要給気風量は少なく制御される。その結果、給気チャンバ１２内への送風量も減少し、給気チャンバ１２内における圧力の不均一度が小さくなる。このように給気チャンバ１２内の圧力の不均一度が小さくなった場合は、室１０内全体を空調する場合に比べて、各吹き出し口１３に装着されている開度調節ダンパ３７の開度について上限値Ｘを大きくしても、個々の吹出し風量のばらつきを抑えることが可能となる。そこで、このように室１０内において一部の制御エリアの空調を行わないような場合は、開度調節ダンパ３７の開度の上限値Ｘを緩和し、各床吹出し口１３の圧力損失を抑えることで、給気の搬送動力を低減し、省エネルギー化を図ることが望ましい。
【００６３】
例えば、図２４に示すように、室１０内が３つの空間１０ａ、１０ｂ、１０ｃに分割される場合、使う空間の組み合わせによって各床吹出し口１３の圧力損失をなるべく少なくできる開度調節ダンパ３７の開度の上限値Ｘをそれぞれ設定し、省エネルギー化を図ることが望ましい。即ち、この図２４に示す例では、空調対象でない空間（例えば、空間１０ｂ）にある吹き出し口１３について開度が０％に設定された上で、空調対象である空間（例えば、空間１０ａ、１０ｃ）にある吹き出し口１３について、開度調節ダンパ３７の開度の上限値が再度設定されることが望ましい。
【産業上の利用可能性】
【００６４】
本発明は、床吹き出し空調に適用できる。
【図面の簡単な説明】
【００６５】
【図１】本発明の実施の形態にかかる床吹き出し空調システムの説明図である。
【図２】吹出し口の斜視図（ａ）と分解図（ｂ）である。
【図３】開度１００％に開かれた状態の開度調節ダンパの説明図である。
【図４】開度０％に閉じられた状態の開度調節ダンパの説明図である。
【図５】開度０〜１００％の間に開かれた状態の開度調節ダンパの説明図である。
【図６】ｎ個の吹き出し口が直列に設けられている状態の説明図である。
【図７】開度調節ダンパの開度制御のフローチャートである。
【図８】各上限値の範囲内において吹き出し口の開度を比例制御している状態を示すグラフである。
【図９】制御部の説明図である。
【図１０】制御部の説明図であり、開度指令が各開度調節ダンパに対してそれぞれ並列的に伝達される例である。
【図１１】制御部の説明図であり、各開度調節ダンパに対応させて制御部分を設け、それぞれの制御部分から各開度調節ダンパに開度指令が出るようにした例である。
【図１２】制御部の説明図であり、各開度調節ダンパに対応して設けられた制御部分間で開度指令が伝達されるようにした例である。
【図１３】開度調節ダンパの開度の上限値（５０％）を設定した場合と、設定しなかった場合（１００％）を比較した、給気チャンバ内の圧力分布を示すグラフである。
【図１４】開度調節ダンパの開度の上限値（５０％）を設定した場合と、設定しなかった場合（１００％）を比較した、各吹き出し口からの吹出し風量の分布を示すグラフである。
【図１５】上限値に達するまでは開度信号に従って各吹き出し口の開度を制御し、上限値に達した場合は各吹き出し口の開度を上限値に固定するように制御した状態を示すグラフである。
【図１６】８段数制御によって開度制御を行った状態を示すグラフである。
【図１７】５段数制御によって開度制御を行った状態を示すグラフである。
【図１８】３段数制御によって開度制御を行った状態を示すグラフである。
【図１９】開度調節ダンパの開度と吹出し風量の関係が比例の関係(リニア特性)でない場合に、開度信号に見合った風量となるように開度を制御する状態を示すグラフである。
【図２０】各吹き出し口がある特定の開度以下にならないように、最低開度を設けた制御の例１を示すグラフである。
【図２１】各吹き出し口がある特定の開度以下にならないように、最低開度を設けた制御の例２を示すグラフである。
【図２２】吹き出し口が室の床全体に２次元に広がって配置されている状態の説明図である。
【図２３】給気チャンバを、通風方向に対して任意の複数のセルに細かく分割した状態の説明図である。
【図２４】室内が複数の空間に分割される場合の説明図である。
【符号の説明】
【００６６】
１  床吹き出し空調システム
１０  室
１１  床
１２  給気チャンバ
１３  吹き出し口
１５  天井
１６  吸い込み口
１７  還気チャンバ
２０  空調機
２１  フィルタ
２２  熱交換器
２３  ファン
３１  排気ファン
３６  旋回ガイドベーン
３７  開度調節ダンパ
４１  シャッタ羽
４２  モータ
５０  制御部
５１  温度センサ
【図１】
0004929198.tif 000002
【図２】
0004929198.tif 000003
【図３】
0004929198.tif 000004
【図４】
0004929198.tif 000005
【図５】
0004929198.tif 000006
【図６】
0004929198.tif 000007
【図７】
0004929198.tif 000008
【図８】
0004929198.tif 000009
【図９】
0004929198.tif 000010
【図１０】
0004929198.tif 000011
【図１１】
0004929198.tif 000012
【図１２】
0004929198.tif 000013
【図１３】
0004929198.tif 000014
【図１４】
0004929198.tif 000015
【図１５】
0004929198.tif 000016
【図１６】
0004929198.tif 000017
【図１７】
0004929198.tif 000018
【図１８】
0004929198.tif 000019
【図１９】
0004929198.tif 000020
【図２０】
0004929198.tif 000021
【図２１】
0004929198.tif 000022
【図２２】
0004929198.tif 000023
【図２３】
0004929198.tif 000024
【図２４】
0004929198.tif 000025